(57)【要約】【課題】楽譜とともに設けた付帯情報に合せて演奏することにより所望する演奏をすることができる電子楽譜の表示システムを提供すること。【解決手段】指揮者用および各演奏者用電子楽譜表示端末６，４ａ，４ｂ，４ｃの表示手段１１の表示画面にサーバから配信された指揮者用および演奏者用の電子楽譜情報１０および付帯情報を表示して、指揮者は指揮者用の電子楽譜情報１０および付帯情報を見ながらタクト振って指揮をとり、各演奏者２ａ，２ｂ，２ｃは演奏者用の電子楽譜情報１０および付帯情報を演奏する。付帯情報として映像情報１５と、演奏時間を支援する時間情報１６と、作曲家や指揮者の指示事項・注意事項などを表示するコメント情報２０などを表示することにより、指定された時間の演奏ができる。【選択図】　　　図２
2004085825.tif 000002
【特許請求の範囲】
【請求項１】
ネットワークに接続され電子楽譜情報を格納しているコンピュータによる電子楽譜の表示方法において、
要求元から前記ネットワークを介して電子楽譜情報の配信要求があったときは、前記コンピュータが前記電子楽譜情報を要求元の表示画面に表示するステップと、
前記コンピュータが前記電子楽譜情報に関連する付帯情報を前記要求元の表示画面に表示するステップと
を具備してなることを特徴とする電子楽譜の表示方法。
【請求項２】
前記付帯情報は、映像情報、コメント情報、カウントダウン情報、目標時間、演奏時間、残り時間、タイミング情報、制御情報などのうち少なくとも一つの情報であることを特徴とする請求項１記載の電子楽譜の表示方法。
【請求項３】
前記表示画面に表示された電子楽譜情報の演奏は、前記表示画面に同時に表示された目標時間、演奏時間、残り時間に基いて行うことを特徴とする請求項１記載の電子楽譜の表示方法。
【請求項４】
前記表示画面に表示された電子楽譜情報および前記付帯情報により演奏するに際し、前記コンピュータは演奏開始までの時間表示として、前記表示画面に予め定めた数字から減算して数字表示することを特徴とする請求項２又は３記載の電子楽譜の表示方法。
【請求項５】
前記コンピュータは、前記付帯情報を前記電子楽譜情報と同期して表示させることを特徴とする請求項１〜４のいずれか１項記載の電子楽譜の表示方法。
【請求項６】
前記コンピュータは、前記電子楽譜情報の編集を前記表示画面に表示された映像情報に基いて行うことを特徴とする請求項１又は２記載の電子楽譜の表示方法。
【請求項７】
指揮者用および／又は各演奏者用の電子楽譜情報が保存され要求された前記電子楽譜情報を配信するサーバと、
このサーバと通信機能を介して接続され前記サーバから配信された指揮者用の電子楽譜情報が表示される指揮者用電子楽譜表示端末と、
前記サーバと通信機能を介して接続され前記サーバから配信された各演奏者用の電子楽譜情報が表示される演奏者用電子楽譜表示端末とを備え、
前記サーバは、
前記指揮者用および／又は各演奏者用電子楽譜表示端末からの要求に応じて電子楽譜情報を抽出する抽出手段と、
前記抽出手段により抽出された電子楽譜情報を要求した端末に表示する表示手段と、
演奏開始の要求があったとき前記指揮者用および／又は各演奏者用電子楽譜表示端末の表示画面に表示された前記電子楽譜情報に関連する付帯情報を前記表示画面に表示する付帯情報表示手段と
を具備してなることを特徴とする電子楽譜の表示システム。
【請求項８】
電子楽譜情報とこの電子楽譜情報に関連する映像情報および時間情報を付帯情報として記憶する記憶手段と、
表示要求により前記記憶手段から前記電子楽譜情報および前記付帯情報を読み出す手段と、
読み出された前記電子楽譜情報および前記付帯情報を表示する手段と
を具備してなることを特徴とする電子楽譜表示装置。
【発明の詳細な説明】
【０００１】
【発明の属する技術分野】
本発明は、電子楽譜の表示方法、電子楽譜の表示システム、電子楽譜表示装置に関する。
【０００２】
【従来の技術】
ＴＶコマーシャルの音楽や、映画やＴＶの背景音楽などの制作は、予め定められた時間内に挿入するように作成される。例えばＴＶコマーシャルの場合には、音楽に先行してビデオ映像が作成され、作曲家は、ビデオ映像に整合した音楽を作曲する。この音楽がオーケストラで演奏する曲の場合には、指揮者は、作曲された楽譜を基にオーケストラの指揮をとりビデオ映像に整合させた演奏を行い、この音楽を録音している。
【０００３】
ところが、演奏された曲は、ビデオ映像と指揮者の指揮するタイミングにおいて数秒程度の変動が生ずる場合が多く、当初計画した楽譜通りの演奏では、映像記録時間との整合が取れなくなる場合が非常に多い。この僅かな時間の不整合は、当初の仕様に適合せず完成には至らない。従って、リハーサルを何度も行い、映像と曲とのアンマッチが判明し、曲の変更が必要な場合もあった。曲の変更が簡単な場合は、指揮者又は作曲家などが、変更内容を各演奏者に口頭又はメモなどで伝え、各演奏者は楽譜への書き込みを行っている。また、電子楽譜表示器を設け、演奏に用いる液晶ディスプレイ（ＬＣＤ）等の画面に表示する方法がある。
【０００４】
【発明が解決しようとする課題】
しかしながら、オーケストラは演奏者が数十人規模の多人数の場合が多く、指揮者や作曲家からの指示の聞き間違いや、譜面への転記ミスが生じ、全員の演奏者に正確な変更内容が伝わらない場合も多かった。この結果、間違った楽譜により演奏することとなり映像と曲とのアンマッチを招き、再度演奏を繰返すことになる。演奏の繰り返しは、時間の増大となり、労力の増大や高コストになっていた。
【０００５】
また、大きな変更が生じた場合は、各パート単位での再編集も行った楽譜をメンバー全員分の楽譜の印刷を行い、各演奏者に配布していた。このため楽譜の印刷費用や搬送費用、保管費用などの間接的な費用の発生で、高コストになっていた。
【０００６】
このような変更作業は、ＴＶのコマーシャルの制作などの様に、先行して作成されたビデオ映像に合せて音楽を入れる場合、上記したようなビデオ映像との整合、時間合わせの課題が生じており、何らかの改善が要望されている。
【０００７】
また、電子楽譜表示器の使用は、通常の音譜や音楽記号等の楽譜情報の記載された電子楽譜を見て演奏することを考慮しているものである。このため、単に楽譜情報をＬＣＤに表示するものであり、映像情報に合せて演奏する必要性のある場合において、効率的な演奏と編曲ができないという課題があった。
【０００８】
本発明は上記課題に対処してなされたもので、楽譜とともに設けた付帯情報に合せて演奏することにより所望の演奏を行うことができる電子楽譜の表示方法、電子楽譜の表示システム、電子楽譜表示装置を提供することを目的としたものである。
【０００９】
【課題を解決するための手段】
本発明は、上記の目的を達成するため、次の構成からなる電子楽譜の表示方法、電子楽譜の表示システム、電子楽譜表示装置を提供するものである。
【００１０】
即ち、請求項１の電子楽譜の表示方法は、ネットワークに接続され電子楽譜情報を格納しているコンピュータによる電子楽譜の表示方法において、要求元から前記ネットワークを介して電子楽譜情報の配信要求があったときは、前記コンピュータが前記電子楽譜情報を要求元の表示画面に表示するステップと、前記コンピュータが前記電子楽譜情報に関連する付帯情報を前記要求元の表示画面に表示するステップとを具備してなることを特徴とする。請求項１の発明によれば、楽譜とともに設けた付帯情報に合せて演奏することにより所望する演奏をすることができる。
【００１１】
請求項２の電子楽譜の表示方法は請求項１記載の電子楽譜の表示方法において、　前記付帯情報は、映像情報、コメント情報、カウントダウン情報、目標時間、演奏時間、残り時間、タイミング情報、制御情報などのうち少なくとも一つの情報であることを特徴とする。請求項２の発明によれば、付帯情報に合せて演奏することにより、目標とする時間通りに演奏することができ、電子楽譜の編集を効率的に行うことが可能となり、効率的な演奏ができる。
【００１２】
請求項３の電子楽譜の表示方法は、請求項１記載の電子楽譜の表示方法において、前記表示画面に表示された電子楽譜情報の演奏は、前記表示画面に同時に表示された目標時間、演奏時間、残り時間に基いて行うことを特徴とする。請求項３の発明によれば、電子楽譜による演奏は、全演奏者の時間的整合がとれ、全奏者が定められた時間に演奏を終了することができる。さらに、指揮者がいなくても、どこにいても各演奏者は、定められた時間に演奏を終了するための独習を行うことができる。
【００１３】
請求項４の電子楽譜の表示方法は、請求項２又は３記載の電子楽譜の表示方法において、前記表示画面に表示された電子楽譜情報および前記付帯情報により演奏するに際し、前記コンピュータは演奏開始までの時間表示として、前記表示画面に予め定めた数字から減算して数字表示することを特徴とする。請求項４の発明によれば、電子楽譜情報および前記演奏用付帯情報に合せて全演奏者が同時に演奏スタートすることが容易にできる。
【００１４】
請求項５の電子楽譜の表示方法は、請求項１〜４いずれか１項記載の電子楽譜の表示方法において、前記コンピュータは、前記付帯情報を前記電子楽譜情報と同期して表示させることを特徴とする。請求項５の発明によれば、映像情報と楽譜情報の整合がとれた表示を行うことができ、映像情報に合せた演奏をすることができ、効率的な演奏ができる。
【００１５】
請求項６の電子楽譜の表示方法は、請求項１又は２記載の電子楽譜の表示方法において、前記コンピュータは、前記電子楽譜情報の編集を前記表示画面に表示された映像情報に基いて行うことを特徴とする。請求項６の発明によれば、電子楽譜の編集する場合に、映像情報に基づいて行うので、映像時間と演奏時間との整合を容易にとることができ、効率的な編集が可能となる。
請求項７の電子楽譜の表示システムは、指揮者用および／又は各演奏者用の電子楽譜情報が保存され要求された前記電子楽譜情報を配信するサーバと、このサーバと通信機能を介して接続され前記サーバから配信された指揮者用の電子楽譜情報が表示される指揮者用電子楽譜表示端末と、前記サーバと通信機能を介して接続され前記サーバから配信された各演奏者用の電子楽譜情報が表示される演奏者用電子楽譜表示端末とを備え、前記サーバは、前記指揮者用および／又は各演奏者用電子楽譜表示端末からの要求に応じて電子楽譜情報を抽出する抽出手段と、前記抽出手段により抽出された電子楽譜情報を要求した端末に表示する表示手段と、演奏開始の要求があったとき前記指揮者用および／又は各演奏者用電子楽譜表示端末の表示画面に表示された前記電子楽譜情報に関連する付帯情報を前記表示画面に表示する付帯情報表示手段とを具備してなることを特徴とする。請求項７の発明によれば、楽譜とともに設けた付帯情報に合せて演奏することにより所望する演奏をすることができる。
【００１６】
請求項８の電子楽譜表示装置は、電子楽譜情報とこの電子楽譜情報に関連する映像情報および時間情報を付帯情報として記憶する記憶手段と、表示要求により前記記憶手段から前記電子楽譜情報および前記付帯情報を読み出す手段と、読み出された前記電子楽譜情報および前記付帯情報を表示する手段とを具備してなることを特徴とする。請求項８の発明によれば、楽譜とともに設けた付帯情報に合わせて演奏することにより、効率的な練習や演奏をすることができる。
【００１７】
【発明の実施の形態】
次に、本発明に係る電子楽譜の表示システムの実施形態について、図１〜１７を参照して説明する。図１は、オーケストラによる演奏を行っている状態を示す図である。指揮者１と数十人の演奏者２ａ〜２ｃにより曲を演奏する。各演奏者２ａ〜２ｃは、前方に楽譜スタンド３ａ〜３ｃを置いて、電子楽譜を見て演奏する。演奏者用の電子楽譜は、各楽譜スタンド３ａ〜３ｃに組み込まれている演奏者用電子楽譜表示端末（以下演奏者端末）４ａ〜４ｃの表示手段例えば液晶表示装置に表示される。さらに、指揮者１は、前方に楽譜スタンド５を置いて、指揮者用電子楽譜を見ながら指揮をする。指揮者用の電子楽譜は、楽譜スタンド５に組み込まれている指揮者用電子楽譜表示端末（以下指揮者端末）６の表示手段例えば液晶表示装置に表示される。指揮者用の電子楽譜は、全てのパート譜が収集された総譜であり、各演奏者用の電子楽譜は、楽器の種別や音調の担当によって割り当てられたパート譜である。
【００１８】
上記各演奏者端末４ａ〜４ｃと指揮者端末６は、例えばコンピュータであり、ネットワーク例えばイントラネット７に接続されている。イントラネット７には、サーバ８が接続されている。このようにして電子楽譜の表示システム９が構成されている。サーバ８は通信機能を有し、電子楽譜情報を格納するコンピュータであり、指揮者１および演奏者２ａ〜２ｃからの配信要求に応じて指揮者１および演奏者２ａ〜２ｃ用の電子楽譜情報１０や付帯情報を配信する。
【００１９】
上記各演奏者端末４ａ〜４ｃと指揮者端末６は、図２に示すように指揮者用および各演奏者用の電子楽譜情報１０を表示するための端末である。指揮者用の電子楽譜情報１０は、総譜であり、演奏者用の電子楽譜情報１０はパート譜である。
【００２０】
次に、各演奏者端末４ａ〜４ｃと指揮者端末６に表示される情報について図１および図２を参照して説明する。
各演奏者端末４ａ〜４ｃと指揮者端末６には、電子楽譜情報１０の他に、付帯情報も表示される。各演奏者端末４ａ〜４ｃと指揮者端末６に表示される電子楽譜情報１０および演奏用付帯情報は、図１に示すサーバ８から抽出して配信され表示される。電子楽譜情報１０は、五線１０ａに音符情報例えばト音記号１０ｂ、調子記号１０ｃ、音符１０ｄなどが表示された電子情報である。
【００２１】
付帯情報は、映像情報１５、目標時間１６ａ，演奏時間１６ｂ，残り時間１６ｃ，差異時間１６ｄなどの時間情報１６、カウントダウン情報１７、タイミング情報１９、コメント情報２０、制御情報２１などのうち少なくとも一つの情報である。指揮者および各演奏者端末６，４ａ〜４ｃの表示手段１１の表示画面には、電子楽譜情報１０、付帯情報、スタートボタン１２、ストップボタン１３、コメント情報入力部１８などが表示されている。付帯情報は、演奏開始指示に応じて電子楽譜情報に関連して表示画面に表示される。
【００２２】
映像情報１５は、指揮者１又は各演奏者２ａ〜２ｃが電子楽譜を見て演奏する際の頭に描く対象となるもので、予め記録されたコマーシャルの映像、ビデオ映像、映画の場面、ＴＶ劇の場面などが抽出された映像である。
【００２３】
目標時間１６ａは、予め定められた演奏のタイムスケジュールであり、この演奏時間はぴったり正確な目標演奏時間である。演奏時間の精度は、対象とする映像情報１５とこの映像情報１５に対応する楽曲との一致度である。目標時間１６ａには、開始と終了の時刻を定めた情報、開始と終了間の予め定められた中間指定時刻も定めた情報などがある。中間指定時刻には、例えば楽譜のページをめくる都度の時刻、映像情報の内容が変化する毎の時刻、演奏の内容が変化する毎の時刻などがあり、適宜選択される。
【００２４】
演奏時間１６ｂは、演奏開始からの経過時間が表示される。残り時間１６ｃは、演奏を開始後、目標時間までの残余時間である。差異時間１６ｄは、目標時間と実際の演奏との時間差である。タイミング情報１９は、演奏を予め定めた時間に終了させるためのペースメーカ的情報である。図１に示す指揮者１が振るタクトの代わりとなる全演奏者２ａ〜２ｃのリズムを光の点滅やメトロノームなどの映像により表示するものである。
【００２５】
カウントダウン情報１７は、演奏指揮の自動モード時に各演奏者２ａ〜２ｃが演奏の準備を行うことを容易に可能とするために、カウントダウン表示される。カウントダウン情報１７は、例えば５、４、３、２、１、０と数字表示される。０と同時に映像情報１５に合せた演奏が開始される。自動モード時は、指揮者１のタクトによらず各演奏者２ａ〜２ｃが各演奏者端末４ａ〜４ｃの表示手段１１の表示画面に表示される情報により演奏するケースである。
【００２６】
コメント情報２０は、電子楽譜の特徴となる音符にメモとして表示されるもので、例えば「感情をこめて」、「強く跳ねるように」などの演奏者２ａ〜２ｃへのメモである。コメント情報２０は、電子楽譜情報１０に記載されない微妙なニュアンスや、指揮者１の特別な意向などの指示内容や、各演奏者２ａ〜２ｃ個人のメモなどである。このようにコメント情報２０は、演奏者２ａ〜２ｃに対しての有用な情報であり、その記載内容が電子楽譜情報１０に関連付けられて表示されており、このコメント情報２０に基づいて演奏が行われる。
【００２７】
制御情報２１は、演奏の開始を入力するスタートボタン１２を操作したことによって発生する開始情報と、演奏が終了したことを入力するストップボタン１３を操作したことによって発生する終了情報とからなる。図２に示されているスタートボタン１２およびストップボタン１３は、例えば各演奏者端末４ａ〜４ｃの表示手段１１の表示画面へのタッチセンサで形成されている。
【００２８】
即ち、図１に示す指揮者１は指揮者端末６の画面を見ながら各演奏者２ａ〜２ｃに対し指揮を行う。各演奏者２ａ〜２ｃは各々の楽器に応じて表示されている電子楽譜情報１０および付帯情報を見て、担当部分の演奏を行う。指揮者１は、予め決めた楽譜の演奏テンポを目標として以下の操作により指揮を行う。
【００２９】
指揮者１は、指揮者端末６の表示画面に設置されたタッチパネルのスタートボタン１２にタッチすることにより図２に示す制御情報２１のスタート信号が図１に示すサーバ８に送信され入力される。サーバ８は、表示画面に電子楽譜情報と付帯情報を送信し、表示する。指揮者端末６の表示手段１１の表示画面には、演奏スタート信号の入力により、図２に示すように予め選択された曲の電子楽譜情報１０と付帯情報が表示され、指揮者１はこれらの表示内容を参照して、演奏の指揮を行う。指揮者１からの演奏指示により、各楽器の演奏者２ａ〜２ｃは演奏を行うが、このとき、各演奏者端末４ａ〜４ｃには、各演奏者２ａ〜２ｃの楽器に対応したパート譜が表示され、各演奏者２ａ〜２ｃは、このパート譜を見ながら演奏を行う。
【００３０】
演奏が終了した場合、指揮者１は指揮者端末６の表示手段１１の表示画面に設置されたタッチパネルのストップボタン１３にタッチすることにより制御情報２１のストップ信号がサーバ８に送信され、入力される。この結果、サーバ８は、演奏終了信号を受信し、終了する。
【００３１】
次に、指揮者端末６および各演奏者端末４ａ〜４ｃに電子楽譜情報１０および付帯情報を表示するための電子楽譜の表示システム９について図１〜図３を参照して具体的に説明する。図３において、図１および図２と同一部分には同一符号を付与し、その詳細な説明を省略する。
【００３２】
図３において、電子楽譜の表示システム９は指揮者端末６、各演奏者端末４ａ〜４ｃ、サーバ８などがイントラネット７に接続されてデータのやり取りが行われるように構成されている。指揮者端末６および各演奏者端末４ａ〜４ｃは、同様な構成であり、電子楽譜情報１０が総譜とパート譜で異なるのみであるので、指揮者端末６のみ具体的構成が図示されている。
【００３３】
サーバ８は、配信要求に応じて電子楽譜情報や付帯情報を要求元に配信し、指揮者１や演奏者２ａ〜２ｃから入力される編集情報、コメント情報２０などを更新して記憶する。サーバ８は、映像情報記憶手段３１と、電子楽譜情報記憶手段３２と、コメント情報記憶手段３３と、抽出手段３４と、入力手段３５と、編集手段３６と、表示手段３７と、インターフェース手段３８と、制御手段３９と、プログラム記憶手段４０とが母線４１に接続されて構成されている。
【００３４】
映像情報記憶手段３１は、制御手段３９の制御により、予め演奏用として用意されたコマーシャルの映像、ビデオ映像、映画、ＴＶ映像などを映像タイトルに関連付けて保存する。電子楽譜情報記憶手段３２は、制御手段３９の制御により、予め定められた１種又は複数種の電子楽譜情報を、総譜、各パート譜に分けて曲名に関連付けて保存する。コメント情報記憶手段３３は、制御手段３９の制御により、電子楽譜の音符に関連付けてコメント情報を記憶する。抽出手段３４は、制御手段３９の制御により電子楽譜情報１０および映像情報１５、コメント情報２０などを抽出し、インターフェース手段３８、イントラネット７を介して指揮者端末６および各演奏者端末４ａ〜４ｃに配信する。
【００３５】
入力手段３５は、例えばキーボードによりサーバ８への操作指令情報の入力を行う。編集手段３６は、制御手段３９の制御により入力手段３５から指示された編集指示データを処理する。表示手段３７には、制御手段３９の制御により、サーバ８に入力された情報やサーバ８から配信する情報例えば電子楽譜情報１０と、映像情報１５およびコメント情報２０などの付帯情報などが表示される。インターフェース手段３８は、指揮者端末６と各演奏者端末４ａ〜４ｃとイントラネット７を介して通信する。プログラム記憶手段４０は、制御手段３９の制御プログラムを記憶する。
【００３６】
このような構成のサーバ８は、指揮者端末６や各演奏者端末４ａ〜４ｃとイントラネット７を経由し、データの授受を行うことができる。
【００３７】
指揮者端末６は、入力手段４５と、表示手段１１と、各処理手段を制御する制御手段４７と、端末用記憶手段４８と、インターフェース手段４９などが、母線５０に接続されて構成されている。指揮者端末６は、指揮者１が指揮するための電子楽譜情報１０や付帯情報を表示し、指揮者１のコメントや要求情報などの入力機能を有する。
【００３８】
入力手段４５は、指揮者のコメント内容を例えばタッチパネル上に表示されたメニューを選択して入力する。表示手段１１は、制御手段４７の制御により、サーバ８から伝送された各種情報を表示するもので、図２に示したように指揮者端末６に表示された各種情報を表示する。端末用記憶手段４８は、制御手段４７の制御プログラムを記憶する。制御手段４７は、サーバ８から配信された各種情報を端末用記憶手段４８に記憶したり、表示手段１１に表示したり、指揮者１の編集やコメントなどの情報をサーバ８に送信する。
【００３９】
インターフェース手段４９は、イントラネット７に接続され、サーバ８および各演奏者端末４ａ〜４ｃとイントラネット７を介して通信する。入力手段３５、４５は、例えばマウスや、フットペダル、押しボタンスイッチなどを採用することも可能である。各演奏者端末４ａ〜４ｃは、各パート譜を表示し、夫々コメントや要求情報などの入力機能を有する。
【００４０】
次に、電子楽譜の表示システム９による電子楽譜情報１０および付帯情報の表示手順について図１〜図３を参照して説明する。
【００４１】
演奏を行う場合、指揮者端末６や各演奏者端末４ａ〜４ｃは、サーバ８に対して電子楽譜情報１０や付帯情報の送信要求情報を、イントラネット７を介して送信する。例えば指揮者１は、入力手段４５から、演奏を希望する電子楽譜情報１０および付帯情報の映像情報１５などの送信要求情報を指揮者端末６に入力する。制御手段４７は、入力手段４５から入力された送信要求情報をインターフェース手段４９、イントラネット７を経由し、サーバ８に伝送する。サーバ８では、伝送された送信要求情報をインターフェース手段３８により受信し、制御手段３９が抽出手段３４に伝送する。抽出手段３４は、制御手段３９の制御により目的とする指定された電子楽譜情報１０と映像情報１５など付帯情報とを、電子楽譜情報記憶手段３２および映像情報記憶手段３１、コメント情報記憶手段３３などから抽出する。
【００４２】
抽出された電子楽譜情報１０および映像情報１５など付帯情報は、制御手段３９の制御により送信要求した指揮者および各演奏者端末６、４ａ〜４ｃに配信される。配信された電子楽譜情報１０および映像情報１５など付帯情報は、制御手段４７の制御により表示手段１１の表示画面に図２に示したように表示される。
【００４３】
このとき、制御手段４７は、付帯情報として、図２に示すようにコメント情報２０についても、電子楽譜情報１０の指定された音符に関連付けてメモ例えば「感情をこめて」と表示する。
【００４４】
また、付帯情報の時間情報は、例えば図２に示すように映像情報１５に付帯された時間情報１６であり、制御手段４７は、表示手段１１の同一表示画面に電子楽譜情報１０と、映像情報１５と、時間情報１６を同時に表示する。
【００４５】
サーバ８からの電子楽譜情報１０および付帯情報は、このように指揮者および各演奏者端末６、４ａ〜４ｃに配信される。図１に示す指揮者１や演奏者２ａ〜２ｃは、指揮者および各演奏者端末６、４ａ〜４ｃの表示手段１１の表示画面に表示された電子楽譜情報１０および付帯情報を見ながら演奏を行う。この結果，目標時間に一致した演奏が可能となる。
【００４６】
次に、指揮者１の指揮により演奏者２ａ〜２ｃが演奏するプロセスを、図１〜図３を参照して説明する。
図２に示すように指揮者および各演奏者端末６、４ａ〜４ｃの表示手段１１の表示画面には、電子楽譜情報１０と、コメント情報２０と、映像情報１５と、時間情報１６と、自動演奏時に使用するタイミング情報１９、スタートボタン１２、ストップボタン１３、コメント情報入力部１８等が表示される。
【００４７】
図１に示す指揮者１は、指揮者用の液晶表示装置のスタートボタン１２にタッチすることにより制御情報２１を図３に示すサーバ８に入力し、演奏を開始する。演奏が開始されると、時間経過によりそのデータとして時間情報１６と映像情報１５とが更新される。指揮者１は、更新される時間情報１６と映像情報１５と、手動又は自動によって更新される電子楽譜情報１０を見ながら指揮をする。
【００４８】
また、指揮者端末６には、時間情報１６も表示されているため、指揮者１は現在の演奏と目標時間との差異時間が認識でき、目標から遅れている場合や進みすぎている場合などの状況を知ることができる。
【００４９】
このように指揮者１は、演奏途中で、それ以降の演奏時間の補正を行い、目標とする演奏時間に合致させることが可能となる。時間情報１６の表示は、指揮者１が演奏途中で演奏時間の補正が困難と認識した場合、途中で演奏を中断し、再度演奏し直す判断する機会を提供することができる。指揮者１が演奏途中で演奏時間の補正が困難と認識できることは、時間の節約となり有効である。
【００５０】
指揮者端末６に表示されている映像情報１５は、ビデオ映像などの動画像が表示される。この動画像は、制御手段４７の制御により１秒間に数枚〜数１０枚程度の画面が時系列的に表示され、順次図３に示す映像情報記憶手段３１から抽出手段３４により抽出して読み出され、指揮者用の表示手段１１の表示画面に表示される。
【００５１】
電子楽譜情報１０には、音階や強弱などの他に、音を鳴らすタイミング制御情報も含まれている。このため、映像情報１５の時間情報と、電子楽譜情報１０の時間情報とを整合させることにより、電子楽譜と映像の表示タイミングが一致する。
【００５２】
各楽器の各演奏者端末４ａ〜４ｃに表示される情報は、上記した指揮者端末６に表示される情報と異なり、電子楽譜情報１０は、各楽器に限定したパート譜が表示され、これを基に演奏が行われる。各演奏者端末４ａ〜４ｃに表示される付帯情報は、指揮者用表示内容と同一でもよいが、時間情報１６やタイミング情報１９については指揮者１の指揮と混乱する可能性のある場合選択的に消去してもよい。練習や独奏のときは、演奏者２ａ〜２ｃにも時間情報１６やタイミング情報１９などの付帯情報の表示が必要であり、これらを参照することにより、効率的な練習を実施することが可能となる。
【００５３】
次に、演奏を予め定められた時間に終了させるプロセスを図４のフローチャートおよび図５、図６のタイムチャート、図１〜図３を参照して説明する。図５は指揮者１による指揮により、各演奏者２ａ〜２ｃが手動で電子楽譜情報１０のページ送りをする場合のタイムチャートであり、図６は自動で電子楽譜情報１０のページ送りがされる場合（各演奏者端末４ａ〜４ｃによる指揮）のタイムチャートである。
図１に示す指揮者１と各演奏者２ａ〜２ｃは、指揮者端末６と各演奏者端末４ａ〜４ｃを動作させて開始する（Ｆ−１）。
【００５４】
指揮者１と各演奏者２ａ〜２ｃは、必要とする電子楽譜情報１０が異なるため、個別に特定できる予め定められた番号例えばＩＤ番号を、図３に示す指揮者端末６および各演奏者端末４ａ〜４ｃの入力手段４５から入力する（Ｆ−２）。制御手段４７は、入力されたＩＤ番号をインターフェース手段４９、イントラネット７を介してサーバ８に送信する。
【００５５】
続いて、曲および付帯情報の選択を行う。電子楽譜情報１０の選択は、所望する曲の選択であり、付帯情報の選択は、映像情報１５，時間情報１６，タイミング情報１９，コメント情報２０などの選択である（Ｆ−３）。電子楽譜情報１０および付帯情報の選択は、指揮者端末６および各演奏者端末４ａ〜４ｃから入力して行う。各指揮者端末６および各演奏者端末４ａ〜４ｃの制御手段４７は、入力された電子楽譜情報１０および付帯情報をイントラネット７を介してサーバ８に伝送する。サーバ８の制御手段３９は、抽出手段３４を制御してＩＤ番号と曲および付帯情報などの要求情報から電子楽譜情報記憶手段３２および映像情報記憶手段３１、コメント情報記憶手段３３から検索して総譜およびパート譜の電子楽譜情報および付帯情報を抽出する。制御手段３９は、抽出された総譜およびパート譜の電子楽譜情報および付帯情報をイントラネット７を介して指揮者および各演奏者端末６，４ａ〜４ｃに配信する。制御手段４７は、配信された総譜およびパート譜の電子楽譜情報および付帯情報を要求されたＩＤ番号の表示手段１１に表示する。
【００５６】
即ち、サーバ８は抽出手段３４により、ＩＤ番号と曲および付帯情報などの要求情報に相当する総譜とパート譜の電子楽譜情報１０と付帯情報を抽出する。選択された曲の電子楽譜情報１０および付帯情報は、サーバ８の制御手段３９の制御によりインターフェース手段３８から指揮者端末６および各演奏者端末４ａ〜４ｃに配信する。制御手段４７は、配信された電子楽譜情報１０、付帯情報を指揮者および各演奏者端末６，４ａ〜４ｃの表示手段１１の表示画面に表示する。
【００５７】
次に、指揮者１と各演奏者２ａ〜２ｃは、指揮者端末６および各演奏者端末４ａ〜４ｃから演奏モードとして手動モードか自動モードかを選択して入力する（Ｆ−４）。例えば指揮者特有の演奏を奏する場合、制御手段４７は手動モードの選択を受信する。また、演奏時間を予め定められたタイムスケジュールに正確に整合させたい場合、制御手段４７は自動モードの選択を受信する（Ｆ−５）。
【００５８】
手動モードを選択した場合、指揮者１は図３に示す入力手段４５から、スタート信号を入力する（Ｆ−６）と、制御手段４７の制御により電子楽譜情報１０および映像情報１５の再生を開始する。制御手段４７は、電子楽譜情報１０の曲の選択を行い、同時に、付帯情報の選択も行い、データを表示手段１１の表示画面に表示した時点で、譜面の１ページ目を表示する。指揮者１は、表示手段１１に表示された電子楽譜情報１０および映像情報１５、時間情報１６、コメント情報２０などの付帯情報をもとに指揮を行う。
【００５９】
指揮者１および各演奏者２ａ〜２ｃは、図２に示すスタートボタン１２にタッチすることで制御手段４７は、ページ送りの制御をする。同様にして、スタートボタン１２にタッチすることにより制御手段４７は、順次ページ送りする（Ｆ−７）。このようにして制御手段４７は、ページ送り信号をサーバ８に入力し電子楽譜情報１０を更新する。また、ストップボタン１３にタッチすることにより制御手段４７は、ストップ信号をサーバ８に入力する（Ｆ−８）ことができ、演奏時間１６ｂなどの時間情報１６のカウントが停止する。
【００６０】
制御手段４７は、差異時間１６ｄに、目標時間１６ａと演奏時間１６ｂとの時間差を表示する。演奏終了後、指揮者１又は作曲家などが編集を行うかどうか判断し、指揮者端末６から編集操作を入力し、制御手段４７は、これをサーバ８に入力する（Ｆ−９）。差異時間０の場合、設定時間通りの演奏であり、この場合は編集を行わない。編集を行わない場合は、演奏を終了として制御手段４７は、これをサーバ８に入力する（Ｆ−１０）。時間差ありの場合、設定時間通りの演奏ができなかったので、編集を行う。編集する場合は、編集データ処理する。
【００６１】
また、自動モードを選択したとき、図２に示すスタートボタン１２にタッチすることにより制御手段４７はスタート信号をサーバ８に送信する（Ｆ−１１）。
【００６２】
制御手段３９は、自動モード時において、演奏者が楽器を演奏する準備を行うための時間を取ることを可能とさせるため、図２に示す表示手段１１の表示画面に、カウントダウン情報１７を表示する（Ｆ−１２）。制御手段３９は、カウントダウン情報１７が終了すると同時に映像情報１５と電子楽譜情報１０と時間情報１６とを更新させ（Ｆ−１３）、演奏が開始される。制御手段３９は、演奏終了まで自動的に進行し、演奏者２ａ〜２ｃは、これらの情報を基に演奏を行い、終了する（Ｆ−１４）。自動モードの選択は、指揮者端末６および各演奏者端末４ａ〜４ｃに表示される映像情報１５、時間情報１６などに従って演奏するため目標時間１６ａとの時間差が無く、編集ステップが不要である。
【００６３】
図４において手動モードを選択した場合の時間的関係を図５に示す。次に、手動モードを図１〜図５を参照して説明する。図１〜図４と同一部分は、図５に同一符号を付与してその説明を省略する。図５は手動モードを選択した場合のタイムチャートの詳細である。横軸は、時間軸である。
【００６４】
指揮者１又は演奏者２ａ〜２ｃは、図２に示す、指揮者端末６および各演奏者端末４ａ〜４ｃのスタートボタン１２にタッチすることにより制御手段４７は、スタート信号をサーバ８に送信し、ストップボタン１３にタッチすることにより制御手段４７は、ストップ信号をサーバ８に送信し、各情報の更新を行う。図５には、スタート信号およびストップ信号の入力されるタイミングが三角形印で示されており、この実施例は、電子楽譜情報１０の譜面を頁めくりするタイミングになっている。映像情報１５は、スタート信号入力時からストップ信号入力時までの更新される期間を正パルスで示している。
【００６５】
時間情報１６の目標時間１６ａは、演奏のタイムスケジュール的情報であり、この実施例は、１分間単位で指定され、総演奏時間は３分間の例である。
【００６６】
演奏時間１６ｂは、実際に演奏した時間を示すもので、この実施例は１分間経過時に５秒間超過した演奏になっているが、２分経過時には２：００分で整合し、演奏終了時は３：０５分で５秒間超過演奏になっている。制御手段３９は、演奏の残り時間１６ｃをカントダウン表示し、映像情報１５に付帯して保存されている記録時間を抽出し、３：００の表示をスタート信号入力時とし、その後、経過時間を減算し、ストップ信号入力時に、減算を停止する。この実施例では３分経過時に５秒多く演奏を実施したため、＋０：０５と表示されている。図示しないが、逆に演奏時間が５秒短かった場合は、制御手段３９の制御により−０：０５と表示する。
【００６７】
制御手段３９は、演奏時間１６ｂと目標時間１６ａとの差を演算し、これを差異時間１６ｄに表示する。手動での演奏は、ページ送り信号が入力されたときの時間と、映像情報１５に付帯している時間との差の時間が表示されている。映像と演奏に差異が発生した場合、次のステップとして、電子楽譜の編集を実施する。なお、手動モードの場合は、指揮者１のタクトタイミングを優先することにするため、図２に図示されているタイミング情報１９は機能させない。
【００６８】
次に、図４において自動モードを選択した場合の時間的関係を、図１〜図３，図６を参照して説明する。図１〜図５と同一部分は、図６に同一符号を付与してその説明を省略する。図６は自動モードを選択した場合のタイムチャートの詳細である。
図１に示す指揮者１又は演奏者２ａ〜２ｃは、図２に示すスタートボタン１２にタッチすることにより制御手段４７は、スタート信号をサーバ８に送信する。この場合、スタートと共にいきなり映像情報１５や電子楽譜情報１０を更新すると、演奏の準備が出来ない可能性が生ずる場合もあるため、制御手段４７は、図２にカウントダウン情報１７をカウントダウン表示する。図６には、カウントダウン表示期間が正パルスで示されている。
【００６９】
カウントダウン表示は、例えば数秒〜数１０秒程度の時間を予め定めておき、スタート信号を入力した場合に、制御手段４７は、定められた時間から例えば１０、９、８等と数字を減算表示する。
【００７０】
カウントダウン情報１７が０となった時点で実際の演奏をスタートするタイミングとなり、制御手段４７は、図２に示すタイミング情報１９の更新、映像情報１５と時間情報１６と電子楽譜情報１０の更新を開始する。即ち、各演奏者２ａ〜２ｃは、カウントダウン表示により０となった時点で実際の演奏をスタートさせるので、目標時間１６ａに一致した演奏開始を行うことができる。これらのタイムチャートは横軸に時間軸を取って図６に示されている。
【００７１】
電子楽譜情報１０は、楽譜情報の中に保有するＭＩＤＩ（Ｍｕｓｉｃａｌ　ＩｎｓｔｒｕｍｅｎｔＤｉｇｉｔａｌ　Ｉｎｔｅｒｆａｃｅ）等の音譜電子情報の時間情報を基に、ページの更新を行うことにより、電子楽譜情報１０の更新が適切に行える。図６に示す演奏時間１６ｂは、カウントダウン情報１７が０となり、この時点を０：００として、０：００から経過時間に応じて増加する。演奏の残り時間１６ｃは、映像情報１５に付帯して保存されている記録時間（３：００）を抽出し、３：００の表示をスタート時に行う。その後、制御手段４７は、例えばページめくり毎に経過時間を減算して表示し、演奏終了により減算を停止させ、０：００と表示する。
【００７２】
制御手段４７は、差異時間１６ｄに、実際の演奏時間と目標時間との時間差を表示するが、自動モードの場合は常に一致しているので、０：００と表示する。
【００７３】
自動モードにおいて、演奏が終了した場合においても、編集を実施したい場合は、手動モードと同様に、図４に示す編集データ処理を実施することが可能である。
【００７４】
自動モードによる演奏は、指揮者１の個人差による演奏時間の変動を排除するために、決められたタイミングで演奏を行う場合などに使用されるが、演奏者２ａ〜２ｃが単独で練習する場合などに用いても非常に効果的なモードである。なお、自動モードにおける電子楽譜情報１０の更新方式としては、上記したページ単位の更新方式に限定されるものではなく、スクロール方式によって、順次演奏する楽譜の更新を実施してもよい。
【００７５】
次に、電子楽譜の編集プロセスについて図１〜図７を参照して説明する。電子楽譜の編集は、映像情報１５に基づいて行うので、映像情報１５は時間情報１６によりタイムスケジュールされる。
【００７６】
作曲家や図１に示す指揮者１などが図５に示す演奏の目標時間と、実際の演奏時間との差異時間を基に、図４に示すフローにおいて、電子楽譜の編集が必要と判断した場合ステップ（Ｆ−９）などにおいて、編集を開始する（Ｆ−２１）。
【００７７】
次に、自動と手動の編集方式を選択する。編集は、手動で行う場合と、自動で行う場合との方式選択が可能である（Ｆ−２２）。手動で編集を行う場合は、音符や記号の追加、変更、削除など、電子楽譜情報１０の全ての編集が可能である（Ｆ−２３）。手動で編集した場合、制御手段３９は、編集後の演奏時間を楽譜情報を基に算出し、映像の時間との差を確認する（Ｆ−２４）。編集後の演奏時間と映像情報１５との差異時間が大きいと思われた場合は、再度編集作業を実施する（Ｆ−２５）。
【００７８】
差異時間が問題無いと判断された場合は、試聴を行い（Ｆ−２６）、試験結果を確認して（Ｆ−２７）、変更後の曲に問題無い場合、編集は終了となる（Ｆ−２８）。試聴の結果、問題有ると判断した場合、再度編集作業を実施する（Ｆ−２９）。自動で編集を行う場合、全ての項目について自動で編集させることは、曲の特徴が損なわれるものとなる。従って、原曲のリズムや音色などの特徴を損なわず継続性が確保できる範囲に限定して編集することが望ましい。
【００７９】
例えば、演奏時間の編集に関連する部分の変更を行う機能のみに限定して編集可能とする。このため、自動で編集可能な項目としては、テンポの増減などが適用可能項目となる。制御手段３９は、編集された電子楽譜から演奏時間を算出して判定し（Ｆ−３０）、演奏時間が目標時間より超過する場合は、テンポを早くする（Ｆ−３１）ことで、目標時間に合致させることが可能となる。また、逆に演奏時間が目標時間より短い場合には、制御手段３９は、テンポを遅くする（Ｆ−３２）ことで、差異時間表示が無くなり目標時間に合致させることが可能となる。制御手段３９は、自動で編集された結果の差異時間を演算し、この表示を行う（Ｆ−３３）。
【００８０】
差異時間が問題無いと判断された場合（Ｆ−２４）には、試聴を行い（Ｆ−２６）、演奏の違和感、曲のイメージの相違などが無いかどうか判断し（Ｆ−２７）、編集が終了する（Ｆ−２８）。試聴については、楽譜データをＭＩＤＩ電子情報とすることで、電子楽器を用いて試聴することが容易に可能となる。また、自動編集の対象として、曲全体を均等に変更することや、曲の前半や後半など、ある一部の小節、小楽節、大楽節などある箇所に限定して変更してもよい。
【００８１】
次に、図２で説明した映像情報１５の表示に関し、他の実施形態を、図１〜図８を参照して説明する。図２と同一部分については、図８に同一符号を記載して、その説明を省略する。この実施形態は、指揮者端末６および各演奏者端末４ａ〜４ｃに設けられた表示手段１１の表示画面に、映像情報１５を大表示部５１と、小表示部列５２に表示するようにしたケースである。
【００８２】
大表示部５１は、比較的大きな表示面を有し、多数の映像を一画面に表示するもので、動画像である。制御手段４７は、動画像を大表示部５１に時系列に変化した映像を表示する。他方、小表示部列５２は、比較的小面積の小表示部５３が多数配列されて設けられ、映像情報１５を縮小した映像が時系列で表示位置を隣の小表示部５３に順次変化させて表示する例である。この各小表示部５３を各音符に関連付けて配置することにより映像情報１５に時間的に整合させた演奏をすることができる。
【００８３】
小表示部列５２に表示する映像情報１５は、映像情報１５の一部又は全部を静止画像として抽出して表示してもよい。この抽出情報は、特徴となる映像情報１５を選択して静止画像で表示することができる。
【００８４】
次に、図８の他の実施形態を、図９および図１〜図７を参照して説明する。図２および図８と同一部分については、図９に同一符号を記載して、その説明を省略する。
【００８５】
図８の実施形態では、映像の割付けに際し、一つの大表示部５１に表示された動画像をもとに所望する映像を抽出したが、図９に示すように指揮者端末６および各演奏者端末４ａ〜４ｃに複数個の大表示部５１を設け、動画像を数秒単位に複数区分して保存した分割映像情報１５ａ〜１５ｄを経過時間により順次再生し、これらの表示された分割映像情報１５ａ〜１５ｄから静止画像を選択してもよい。
【００８６】
図８の実施形態では、映像の割付けに際し、一つの大表示部５１に表示された動画像をもとに所望する映像を抽出し、縮小された静止画像を多数の小表示部列５２に表示した実施形態について説明したが、抽出した映像は静止画像でなくてもよい。
【００８７】
次に、抽出した映像を動画像で複数個の小表示部５３に表示する実施形態を図１０および図１〜図９を参照して説明する。図２および図８と同一部分については、図１０に同一符号を記載して、その説明を省略する。指揮者端末６および各演奏者端末４ａ〜４ｃには、動画像が表示される大表示部５１が設けられ、さらに、複数個の小表示部５３が設けられる。この複数個の小表示部５３には、動画像の映像情報１５から抽出された映像データを、細分化して抽出された複数の動画像５６ａ〜５６ｎが順次表示される。このように動画像を表示することができる。
【００８８】
次に、映像情報１５から所望する映像を静止画像で抽出するプロセスを、図１〜図１２を参照して説明する。図８〜図１０の様に、映像情報１５を、小表示部５３として多数表示する場合において、指揮者端末６および各演奏者端末４ａ〜４ｃの表示手段１１、サーバ８の表示手段３７に表示される画面を図１１に示す映像抽出画面に切換えて、映像の抽出操作を開始する（Ｆ−３１）。抽出モードとして自動モードと手動モードを選択する（Ｆ−３２）。
【００８９】
手動で抽出する場合、制御手段４７はサーバ８から映像情報１５と電子楽譜情報１０を同時に受信して動画像として表示手段１１に再生する（Ｆ−３３）。次に、制御手段４７は再生された動画像を図１１の大表示部５１に表示して所望する映像を抽出ボタン５４を操作することにより抽出し（Ｆ−３４）、静止画像として記録する。制御手段４７は、記録された静止画像を縮小して小表示部列５２の所望する小表示部５３に表示する（Ｆ−３５）。抽出された映像のプレビュー操作により制御手段４７は、抽出映像のプレビュー表示を行い、修正の有無を確認する（Ｆ−３６）。抽出した映像が良好で修正が無ければ、映像の抽出を完了（Ｆ−３７）する。このような操作を繰返して小表示部列５２に一覧表示して完了する。修正があれば、修正した映像情報１５、電子楽譜情報１０について同一プロセスを再び実行する（Ｆ−３８）。
【００９０】
抽出ポイントを自動で設定する場合は、映像情報１５から抽出する映像について時間で選択する（Ｆ−３９）。また、場面が大きく変わる映像情報１５の場合映像の変化を検出し（Ｆ−４０）、映像の変化に応じて、均等割付けや非均等割付けして選択する。これらの映像の割付けがなされた後で、抽出された映像のプレビュー操作により制御手段４７は、抽出映像のプレビュー表示（Ｆ−４１）を行い、修正の有無を確認する（Ｆ−４２）。抽出した映像が良好であれば、映像の抽出を完了する（Ｆ−３７）。修正があれば、修正して再度同一プロセスを実行する（Ｆ−４３）。
【００９１】
次に、図２のタイミング情報１９の具体的実施形態を図１３〜図１７および図１〜図１２を参照して説明する。タイミング情報１９は、自動演奏時に指揮者が振るタクトの代用として機能するもので、主として図１および図２に示す各演奏者端末４ａ〜４ｃに表示される。勿論、指揮者端末６に表示してもよい。タイミング情報１９の表示例としては、演奏者２ａ〜２ｃがタイミングをとり易い表示方式が望ましい。
【００９２】
例えば図１３に示す様に、四角形状、多角形状（図示略）、円形状（図示略）などの表示区域６１を設け、この表示区域６１を点滅させる方式でもよい。この点滅の速度を図１に示す指揮者１のふるタクトの速さに調整することにより、各演奏者２ａ〜２ｃは、このタクトに合せた動きと同様な演奏をすることができる。
【００９３】
さらに、図１４に示すように、複数個の表示区域６４，６５を設け、表示区域の２つの窓の表示を切換えて点滅させるようにしたものである。この点滅に合わせて演奏することにより、図１に示す指揮者１のタクトに合せた動きと同様な演奏をすることができる。
【００９４】
さらに、図１５に示すように矩形状表示区域７０をライン状に配列した表示区域アレイ７１を配列し、点灯する表示区域７０の位置を矢印方向にずらして点灯させることにより図１に示す指揮者１のふるタクトの代用にすることができる。この点滅に合わせて演奏することにより、指揮者１のタクトに合せた動きと同様な演奏をすることができる。
【００９５】
さらに、図１６に示すように円形状表示区域７２を円周状に配列して設け、順次、回転方向７３に切換えて点灯させるようにしてもよい。この点灯の切換えに合わせて演奏することにより、図１に示す指揮者１のタクトに合せた動きと同様な演奏をすることができる。
【００９６】
さらに、図１７に示すように表示区域７４を棒状に形成し、この棒状表示区域７４を交互に点滅させることにより、メトロノームの振り子の動きに表示することができる。この点滅に合わせて演奏することにより、指揮者のタクトに合せた動きと同様な演奏をすることができる。
【００９７】
また、図示しないが、表示画面の背景部やある一部の色を変える方式、図２に示す表示手段１１近傍に別装置として設けるなど、指揮者１や演奏者２ａ〜２ｃが演奏タイミングを容易に認識できるものであれば、形状や方式を問うものではない。
【００９８】
次に、図２のコメント情報の表示方法を図１〜図１８を参照して説明する。コメント情報２０は、作曲家や図１に示す指揮者１、演奏者２ａ〜２ｃなどからの指示事項、注意事項、メモなどの電気信号である。コメント情報２０は、主として図２に示す電子楽譜情報１０の特徴とする音符１０ｄ近傍に添え書きされる。
【００９９】
コメント情報２０は、文面を予めテンプレート化しておき、コンサートの会場などで、電子譜面への書き込みを、キーボードなどを用いることなく、タッチパネル上から、プルダウンメニューの選択や、ファンクションキーの操作により入力することが可能である。
【０１００】
コメント情報２０は、予め想定される指揮者１からの指示事項や注意事項、各演奏者２ａ〜２ｃのメモなどをメニュー方式で階層的に保存される。使用したいコメントメニューは、保存されたメニューの中から選択して電子楽譜情報１０近傍に表示される。コメントメニュー８１は、例えば指示事項として速度、音階、強弱、息継ぎ、感情…その他などであり、図３に示すサーバ８のコメント情報記憶手段３３に予め保存される。
【０１０１】
さらに、各メニューについて、さらに下位に位置付けて例えば下位の速度メニュー８２が作成され、保存されている。例えばメニュー速度の下位メニューは、やや速く、若干速く…やや遅くなどが作成され、保存されている。さらに、選択されたメニューを登録する個所を示す登録部メニュー８３が作成され、保存されている。登録部メニュー８３としては、例えば小節、パートなどである。登録部メニュー８３に示された各項目のさらに下位のパートメニュー８４が作成され、保存されている。パートメニュー８４は、例えばパートの下位項目バイオリン、チェロ、ピアノなどである。小節メニュー８６は、例えば電子楽譜情報１０の音符の位置を示す番地である。
【０１０２】
コメント情報２０を作成するためのコメント情報入力部１８は、図２に示す指揮者端末６および各演奏者端末４ａ〜４ｃの表示手段１１の表示画面に表示される。コメントメニュー８１、下位の速度メニュー８２、登録部メニュー８３、パートメニュー８４、小節メニュー８６などは、適時コメント情報入力部１８に表示され、コメント情報作成者により操作される。コメント情報作成者は、作曲家、指揮者１、演奏者２ａ〜２ｃなどである。コメントメニュー８１、下位の速度メニュー８２、登録部メニュー８３、パートメニュー８４、小節メニュー８６の各項目に設けられているボタンは、入力ボタン８５であり、下向きの矢印は、下位のメニュー検索を示している。
【０１０３】
このように保存されたコメントメニュー８１からコメント情報２０を作成する手順は次の通りである。
コメント情報２０の作成者例えば指揮者１は、図３に示す表示手段１１の表示画面から操作してコメント情報２０を作成する。指揮者１は、コメント情報入力部１８にコメントメニュー８１を表示する。指揮者１は、コメントメニュー８１において例えば速度を選択するための入力ボタン８５にタッチすると、コメント情報入力部１８には速度の下位の速度メニュー８２が表示される。指揮者１は、速度の下位の速度メニュー８２においてやや速くを選択するための入力ボタン８５にタッチすると、コメント情報入力部１８には登録部メニュー８３が表示される。
【０１０４】
指揮者１は、登録部メニュー８３において登録先小節およびパートを選択するための入力ボタン８５にタッチすると、コメント情報入力部１８には小節およびパートの小節メニュー８６，パートメニュー８４が表示される。指揮者１は、小節およびパートの小節メニュー８６，パートメニュー８４において、コメント情報２０のやや速くの登録場所としてバイオリンとピアノの楽譜で例えば第１楽章の第１小節で第３音符と指定する。このようにして作成されたコメント情報２０は、バイオリンとピアノの楽譜に関連付けて図３に示す指揮者端末６の端末用記憶手段４８に記憶される。
【０１０５】
記憶されたコメント情報２０は、指揮者端末６の制御手段４７の制御によりインターフェース手段４９、イントラネット７を介してサーバ８に送信する。サーバ８の制御手段３９は、この指定されたバイオリンとピアノの楽譜で例えば第１楽章の第１小節で第３音符に関連付けてコメント情報やや速くがサーバ８のコメント情報記憶手段３３に記憶される。
【０１０６】
サーバ８の制御手段３９は、指定された登録場所のバイオリンとピアノの各演奏者端末４ａ〜４ｃに送信し、バイオリンとピアノの各演奏者端末４ａ〜４ｃは、端末用記憶手段４８に上書き保存する。この結果、バイオリンとピアノの各演奏者端末４ａ〜４ｃの制御手段４７は、更新されたコメント情報２０が表示されるように制御する。
【０１０７】
コメントメニュー８１は、指揮者用、演奏者用に区別してコメント情報記憶手段３３に保存されることが望ましい。コメント情報２０には、指揮者１から全演奏者２ａ〜２ｃに一斉に配信して指示したい情報や、楽器や演奏パート単位、個人単位等で送信し管理したい情報などがある。
【０１０８】
演奏する場合、各演奏者端末４ａ〜４ｃなどを使用する際に各演奏者２ａ〜２ｃは、ＩＤ番号等を入力する。サーバ８は，入力されたＩＤ番号から演奏楽器や個人を識別し、この識別に応じたコメント情報２０を各演奏者端末４ａ〜４ｃに配信し、表示手段１１の表示画面に表示される。各演奏者２ａ〜２ｃは、指揮者１からの指示や注意事項、個人のメモなどを正確に知る。
【０１０９】
上記実施形態では、イントラネット７を介して指揮者および演奏者用の複数の端末に夫々の電子楽譜を表示する実施形態について説明したが、イントラネット７などのネットワークを介さなくても、単独の電子楽譜表示装置として構成してもよい。次に、単独で電子楽譜表示装置が構成される場合について、図１９、図２０および図１〜１８を参照して説明する。図１９は演奏者が演奏の練習を行っている状態を示す図である。この実施形態は、電子楽譜表示端末４が、他の装置との連携を行わず、単独で設置され、演奏者２は前方に楽譜スタンド３を置いて、電子楽譜を見て演奏する単独型電子楽譜表示装置のケースである。この単独型電子楽譜表示装置を利用した演奏は、練習であったり、ソロの演奏であったりする。
【０１１０】
電子楽譜は、電子楽譜表示端末４の表示手段例えば液晶表示装置に表示される。電子楽譜表示端末４は、映像情報記憶手段３１と、電子楽譜情報記憶手段３２と、コメント情報記憶手段３３と、抽出手段３４と、入力手段３５と、編集手段３６と、表示手段３７と、制御手段３９と、プログラム記憶手段４０とが母線４１に接続されて構成されている。
【０１１１】
映像情報記憶手段３１は、制御手段３９の制御により、予め演奏用として用意されたコマーシャルの映像情報、ビデオ映像、映画、ＴＶ映像情報などの情報を映像タイトルに関連付けて保存する。電子楽譜情報記憶手段３２は、制御手段３９の制御により、予め定められた１種又は複数種の電子楽譜情報を、総譜、各パート譜に分けて曲名に関連付けて保存する。
【０１１２】
コメント情報記憶手段３３は、制御手段３９の制御により、電子楽譜の音符に関連付けてコメント情報２０を記憶する。抽出手段３４は、制御手段３９の制御により、電子楽譜情報１０および映像情報１５、コメント情報２０などを抽出する。
【０１１３】
入力手段３５は、例えばキーボードにより制御手段３９への操作指令情報の入力を行う。編集手段３６は、制御手段３９の制御により、入力手段３５から指示された編集指示データを処理する。表示手段３７には、制御手段３９の制御により、制御手段３９に入力された情報や電子楽譜情報１０と、映像情報１５およびコメント情報２０などの付帯情報などが表示される。表示手段３７に表示される画面および機能は、図２から図１８に示す機能と同一のものである。制御手段３９は、これらの各手段を制御する。プログラム記憶手段４０は、制御手段３９の制御プログラムを記憶する。入力手段４５は、例えばタッチパネル、マウスや、フットペダル、押しボタンスイッチなどであり、電子楽譜の更新操作やページ捲り操作を制御手段３９に入力する。
【０１１４】
単独型電子楽譜表示装置は、入力手段３５から利用する指揮者又は演奏者のＩＤ番号等を入力することにより、指揮者用の総譜や演奏者用のパート譜を識別し、選択した曲の電子楽譜情報や付帯情報が表示される。
【０１１５】
単独型電子楽譜表示装置としては、サーバ等との連携を必要とせず、電子楽譜情報や付帯情報など図３の全ての機能を単一の装置にまとめて収納することにより、単独で演奏者や指揮者が自宅や演奏会場で練習やソロ演奏を行うことが可能となるものである。単独型電子楽譜表示装置は、コンピュータ機能を有するので、モデムなどのインターフェース機能を接続することにより図３のネットワークに接続することもできる。指揮者および各演奏者が夫々単独型電子楽譜表示装置をネットワークに接続することにより、互いにネットワークを介して電子楽譜情報や付帯情報の送受信を行うことができる。この場合、サーバを接続しなくても各単独型電子楽譜表示装置間で直接送受信することができる。
【０１１６】
以上説明したようにこの実施形態によれば、楽譜とともに設けた付帯情報に合せて演奏することにより所望する演奏をすることができる。また、付帯情報例えば映像情報に合せて演奏することができ、目標とする時間通りに演奏することができる。さらに、電子楽譜の編曲を行う場合においても、電子楽譜を効率的に編曲し、最新の電子楽譜で演奏することができる。さらに、映像情報１５に合せて演奏する場合において、電子楽譜を効率的に編曲し、最新の電子楽譜で演奏できる。さらに、演奏は、タイムスケジュールにより演奏時間を予め定められた時間に精度よく収めることができる。即ち、設定時間の演奏ができる。
【０１１７】
上記実施形態では入力手段３５，４５として液晶パネルに設けられたタッチパネルを用いて説明したが、特にこれに限られることではなく、キーボードや文字数字が入力可能なタブレットを用いてもよい。
【０１１８】
上記実施形態では、ＴＶコマーシャル用音楽の制作をオーケストラにより作成した例について説明したが、オーケストラなどでの指揮者１と演奏者２ａ〜２ｃとの関係は、吹奏楽、合唱などにおいても同一の形態であり、この発明を実施することができる。また、音楽教室など、先生と生徒の関係に置換することにより、この発明を実施することができる。
【０１１９】
また、指揮者１と演奏者２ａ〜２ｃは同一場所で演奏する必要性はなく、インターネット等を用いて連絡することにより、指揮者１と演奏者２ａ〜２ｃは離れた場所で練習している場合においても実施可能である。
【０１２０】
【発明の効果】
以上の説明から明らかなように、本発明システムによれば楽譜とともに設けた付帯情報に合せて演奏することにより効率的な演奏をすることができる。
【図面の簡単な説明】
【図１】本発明に係る電子楽譜の表示システムの一実施形態を説明するためのオーケストラ配置した状態を示す図である。
【図２】図１の指揮者用および演奏者用電子楽譜表示端末の表示画面に表示された状態を説明するための図である。
【図３】図１の電子楽譜の表示システムを説明するための構成図である。
【図４】図３の電子楽譜の表示システムにより演奏を予め定められた時間に終了させるプロセスを説明するためのフローチャートである。
【図５】図４のプロセスを手動モードにより演奏する場合のタイムチャートである。
【図６】図４のプロセスを自動モードにより演奏する場合のタイムチャートである。
【図７】図３の電子楽譜の表示システムにより電子楽譜の編集プロセスを説明するためのフローチャートである。
【図８】図２の他の実施例を説明するための図である。
【図９】図２の他の実施例を説明するための図である。
【図１０】図２の他の実施例を説明するための図である。
【図１１】図２の電子楽譜表示システムにより映像情報から所望する映像を抽出するための表示画面例を説明するための図である。
【図１２】図３の電子楽譜の表示システムにより映像情報から所望する映像を静止画で抽出するプロセスを説明するためのフローチャートである。
【図１３】図２のタイミング情報の具体的実施形態を説明するための図である。
【図１４】図２のタイミング情報の具体的実施形態を説明するための図である。
【図１５】図２のタイミング情報の具体的実施形態を説明するための図である。
【図１６】図２のタイミング情報の具体的実施形態を説明するための図である。
【図１７】図２のタイミング情報の具体的実施形態を説明するための図である。
【図１８】図２のコメント情報表示方法の具体的実施形態を説明するための図である。
【図１９】図１の他の一実施形態を説明するための図で１人の演奏者が練習を行っている状態を説明するための図である。
【図２０】図１９の電子楽譜表示装置を説明するための構成図である。
【符号の説明】
１…指揮者、２，２ａ，２ｂ，２ｃ…演奏者、３，３ａ，３ｂ，３ｃ，５…楽譜スタンド、４，４ａ，４ｂ，４ｃ…演奏者用電子楽譜表示端末、６…指揮者用電子楽譜表示端末、７…イントラネット、８…サーバ、９…電子楽譜表示システム、１０…電子楽譜情報、１１，３７…表示手段、１２…スタートボタン、１３…ストップボタン、１５…映像情報、１６…時間情報、１６ａ…目標時間、１６ｂ…演奏時間、１６ｃ…残り時間、１６ｄ…差異時間、１７…カウントダウン情報、１８…コメント情報入力部、１９…タイミング情報、２０…コメント情報、２１…制御情報、３１…映像情報記憶手段、３２…電子楽譜情報記憶手段、３３…コメント情報記憶手段、３４…抽出手段、３５，４５…入力手段、３６…編集手段、３８，４９…インターフェース手段、３９，４７…制御手段、４０…プログラム記憶手段、４８…端末用記憶手段、４１，５０…母線、５１…大表示部、５２…小表示部列、５３…小表示部、５４…抽出ボタン、５５…スクロールボタン、６１，６４，６５，７０，７２，７４，７５…表示区域、６３…矢印、７１…表示区域アレイ、７３…回転方向、７６…下端部、８１…コメントメニュー、８２…速度メニュー、８３…登録部メニュー、８４…パートメニュー、８５…入力ボタン、８６…小節メニュー。
【図１】
2004085825.tif 000003
【図２】
2004085825.tif 000004
【図３】
2004085825.tif 000005
【図４】
2004085825.tif 000006
【図５】
2004085825.tif 000007
【図６】
2004085825.tif 000008
【図７】
2004085825.tif 000009
【図８】
2004085825.tif 000010
【図９】
2004085825.tif 000011
【図１０】
2004085825.tif 000012
【図１１】
2004085825.tif 000013
【図１２】
2004085825.tif 000014
【図１３】
2004085825.tif 000015
【図１４】
2004085825.tif 000016
【図１５】
2004085825.tif 000017
【図１６】
2004085825.tif 000018
【図１７】
2004085825.tif 000019
【図１８】
2004085825.tif 000020
【図１９】
2004085825.tif 000021
【図２０】
2004085825.tif 000022